(57)【特許請求の範囲】
【請求項１】
係止部が形成された角筒部と、前後方向の折り目部で繋がるように二枚重ねされた一対の板状接触片で構成され、前記角筒部から前方へ延出するタブと、前記角筒部から後方へ延出する電線圧着部とを有し、端子収容室に挿入された状態では、前記端子収容室のランスに前記係止部を係止させることで抜止めされる端子金具であって、
前記角筒部を構成し、前記一対の板状接触片と略平行をなして前記電線圧着部の底壁部に連なる基板部と、
前記角筒部を構成し、前記基板部の左右両側縁から略直角に延出する一対の側板部と、
前記係止部が形成され、一方の前記側板部の延出端縁から略直角に延出することで前記角筒部を構成する係止板部と、
他方の前記側板部の延出端縁から、前記他方の側板部と略平行をなして前記角筒部の外方へ板状に突出するスタビライザと、
前記係止板部の延出端縁を凹ませた形態であって、前記スタビライザと係止することで、前後方向における前記係止板部と前記他方の側板部との相対変位を規制する切欠部と、
前記基板部の前端と一方の前記板状接触片の後端とを繋ぐ第１繋ぎ部と、
前記他方の側板部の前端と他方の前記板状接触片の後端とを繋ぐ第２繋ぎ部と、
前記係止板部と前記一方の側板部と前記基板部のうちいずれか１つの前記板部に形成され、前記第２繋ぎ部と前記他方の板状接触片のうち少なくとも一方に当接することで、前記他方の板状接触片が前記一方の板状接触片から離間する方向へ変位するのを規制する規制部とを備え、
さらに、前記他方の側板部の延出端縁には支持板部が略直角に折り曲げられて前記係止板部を支持可能となっていることを特徴とする端子金具。
【請求項２】
前記規制部が、前記角筒部の前端と前記タブの後端との隙間を塞ぐように配されていることを特徴とする請求項１記載の端子金具。
【発明の詳細な説明】
【技術分野】
【０００１】
本発明は、端子金具に関するものである。
【背景技術】
【０００２】
特許文献１に記載された雄形の端子金具は、係止部が形成された角筒部と、角筒部から前方へ突出するタブとを有し、後方からハウジングの端子収容室に挿入された状態では、端子収容室のランスに係止部を係止させることで、抜け方向の変位が規制されるようになっている。角筒部は、基板部と、基板部の左右両側縁から略直角に延出する一対の側板部と、一方の側板部の延出端縁から略直角に延出する係止板部とを備えている。係止壁部の側縁からは、略直角な折り目部を介して一方の側板部と基板部と他方の側板部とが順次に連なっており、この基板部と一対の側板部は三連板部を構成する。三連板部の基板部は、オープンバレル状の電線圧着部の底壁部に連なっている。
【０００３】
この端子金具は、電線圧着部に固着した電線が後方へ引っ張られたときに、電線圧着部に連なっているために後方への引張力が作用する三連板部と、ランスに係止しているために後方への変位が規制されている係止板部との間で相対変位が生じ、角筒部が不正な変形を来すことが懸念される。
【先行技術文献】
【特許文献】
【０００４】
【特許文献１】特開２００５−００５１０９号公報
【発明の概要】
【発明が解決しようとする課題】
【０００５】
この対策としては、三連板部を構成する一方の側板部に、角筒部の外面側へ突出する板状のスタビライザが形成されていることに着目し、三連板部のうち係止板部と直接繋がっていない他方の側板部から延出する天板部に、ランスとの係止部を形成するとともに、この天板部の側縁に形成した切欠部とスタビライザと前後方向に係止させるように設計変更することが考えられる。このように切欠部とスタビライザを前後方向に係止させれば、天板部と三連壁部との前後方向の相対変位が規制され、角筒部の不正な変形を防止することが可能である。
【０００６】
しかし、スタビライザと切欠部との係止部分では、スタビライザの板厚方向へ相対的に離間する方向の力が作用するのであるが、スタビライザの板厚方向の係止代は、スタビライザの突出方向の係止代に比べると、非常に小さい。そのため、電線の引張力が強い場合は、スタビライザと切欠部との係止が外れ、角筒部が不正な変形を来すことが懸念される。
本発明は上記のような事情に基づいて完成されたものであって、角筒部の不正な変形を防止することを目的とする。
【課題を解決するための手段】
【０００７】
上記の目的を達成するための手段として、請求項１の発明は、係止部が形成された角筒部と、前後方向の折り目部で繋がるように二枚重ねされた一対の板状接触片で構成され、前記角筒部から前方へ延出するタブと、前記角筒部から後方へ延出する電線圧着部とを有し、端子収容室に挿入された状態では、前記端子収容室のランスに前記係止部を係止させることで抜止めされる端子金具であって、
前記角筒部を構成し、前記一対の板状接触片と略平行をなして前記電線圧着部の底壁部に連なる基板部と、前記角筒部を構成し、前記基板部の左右両側縁から略直角に延出する一対の側板部と、前記係止部が形成され、一方の前記側板部の延出端縁から略直角に延出することで前記角筒部を構成する係止板部と、他方の前記側板部の延出端縁から、前記他方の側板部と略平行をなして前記角筒部の外方へ板状に突出するスタビライザと、前記係止板部の延出端縁を凹ませた形態であって、前記スタビライザと係止することで、前後方向における前記係止板部と前記他方の側板部との相対変位を規制する切欠部と、前記基板部の前端と一方の前記板状接触片の後端とを繋ぐ第１繋ぎ部と、前記他方の側板部の前端と他方の前記板状接触片の後端とを繋ぐ第２繋ぎ部と、前記係止板部と前記一方の側板部と前記基板部のうちいずれか１つの前記板部に形成され、前記第２繋ぎ部と前記他方の板状接触片のうち少なくとも一方に当接することで、前記他方の板状接触片が前記一方の板状接触片から離間する方向へ変位するのを規制する規制部とを備え、さらに、前記他方の側板部の延出端縁には支持板部が略直角に折り曲げられて前記係止板部を支持可能となっているところに特徴を有する。
【０００８】
請求項２の発明は、請求項１に記載のものにおいて、前記規制部が、前記角筒部の前端と前記タブの後端との隙間を塞ぐように配されているところに特徴を有する。
【発明の効果】
【０００９】
＜請求項１の発明＞
電線圧着部を介して基板部に後方への引張力が作用すると、基板部に直接連なる他方の側板部のスタビライザと、ランスへの係止により後方変位を規制されている係止板部の切欠部とが係止するので、係止板部が他の板部に対して前方へ相対変位することに起因する角筒部の不正な変形が防止される。
【００１０】
また、基板部に作用する後方への引張力が強い場合には、他方の側板部がその外面側へ開く方向へ傾動してスタビライザが切欠部から外れてしまうことが懸念されるが、その対策は、次の通りである。他方の側板部は第２繋ぎ部を介して他方の板状接触片と一体的に連なっていて、他方の側板部が開き方向へ変位しようとすると、他方の板状接触片が一方の板状接触片から離間する方向へ変位しようとする。この他方の板状接触片が他方の側板部と一体的に変位しようとする形態に着目し、本発明では、他方の側板部以外の板部に形成した規制部により、他方の板状接触片が一方の板状接触片から離間する方向へ変位するのを規制している。他方の板状接触片の変位を規制すれば、他方の側板部の開き方向への変位も規制されるので、スタビライザが切欠部から外れるのを確実に防止できる。
【００１１】
＜請求項２の発明＞
規制部が、角筒部の前端とタブの後端との隙間を塞いでいるので、この隙間を通って他部材が角筒部内に侵入するのを防止できる。
【図面の簡単な説明】
【００１２】
【図１】本実施形態の端子金具の側面図
【図２】端子金具の底面図
【図３】図２のＡ−Ａ線断面図
【図４】端子金具を端子収容室に挿入した状態をあらわす断面図
【図５】図１のＢ−Ｂ線断面図
【図６】図１のＣ−Ｃ線断面図
【図７】図１のＤ−Ｄ線断面図
【図８】端子金具の展開図
【発明を実施するための形態】
【００１３】
＜実施形態１＞
以下、本発明を具体化した実施形態１を図１〜図８を参照して説明する。本実施形態の端子金具Ｔは、図１〜４に示すように、角筒部１０の前方へ突出するタブ１１を有する雄形の端子である。端子金具Ｔは、全体として前後方向に細長く、前後方向略中央部分が角筒部１０となっている。この端子金具Ｔは、図４に示すように、ハウジング３０に形成した端子収容室３１内に、ハウジング３０の後方から挿入され、端子収容室３１に形成したランス３２への係止によって後方への抜けを規制されるようになっている。ランス３２には、端子金具Ｔに係止するための係止突起３３が形成されている。
【００１４】
以下、端子金具Ｔの詳細構成を説明する。尚、便宜上、上下左右の向きについては、端子金具Ｔを端子収容室３１に挿入した状態を基準とする。図１〜４に示すように、端子金具Ｔは、角筒部１０から後方へ延出するオープンバレル状の電線圧着部１２を備えている。図２に示すように、電線圧着部１２は、底壁部１３の左右両側縁から下方へ一対のカシメ片１４を延出させた周知形態のものであり、電線圧着部１２には、電線１５の前端部に圧着により導通可能に、且つ、前後方向への相対変位を規制された状態で接続されている。
【００１５】
図１〜４，６，７に示すように、角筒部１０は、方形平板状をなす水平な基板部１６と、基板部１６の左側縁から下方へ略直角に延出する方形平板状の左側板部１７（本発明の構成要件である一方の側板部）と、基板部１６の右側縁から下方へ略直角に延出する方形平板状の右側板部１８（本発明の構成要件である他方の側板部）と、左側板部１７の延出端縁（下端縁）から略直角に右方へ延出する方形平板状の係止板部１９とを備えて構成されている。角筒部１０の前端面と後端面は、角筒部１０の外部へ開口されている。
【００１６】
図２に示すように、基板部１６の後端部は、電線圧着部１２の底壁部１３の前端に連なっており、左右両側板部の後端部は、左右一対のカシメ片１４の基端部に連なっている。係止板部１９には、その前後方向における略中央部であり、左右方向における中央部を方形の孔状に貫通させた形態の係止部２０が形成されている。図４に示すように、端子金具Ｔが端子収容室３１内に正規挿入されると、係止部２０の開口領域の前縁部が、ランス３２の係止突起３３に係止して、端子金具Ｔが抜止めされる。
【００１７】
図２，３に示すように、角筒部１０は、右側縁部の延出端から略直角に左方へ延出する方形平板状をなす前後一対の支持板部２１を有している。前側の支持板部２１は、角筒部１０（右側板部１８）の前端部、即ち、係止部２０の前端縁よりも前方の位置に配置されている。後側の支持板部２１は、角筒部１０（右側板部１８）の後端部、即ち係止部２０の後端縁よりも後方の位置に配置されている。この前後一対の支持板部２１の外面（下面）には、係止板部１９の上面が、当接又は接近して対向している。したがって、角筒部１０の下方から係止部２０を覗いても、支持板部２１は目視できないようになっている。
【００１８】
図１〜４，６，７に示すように、角筒部１０は、スタビライザ２２を有する。スタビライザ２２は、右側板部１８の延出端縁（下端縁）から、右側板部１８と面一状（つまり、右側板部１８と平行）をなして下方へ延出し、方形の平板状をなしている。前後方向においては、右側板部１８の略中央部分、即ち、前後一対の支持板部２１の間に配置されている。
【００１９】
図１，３〜５に示すように、タブ１１は、前後方向に細長い平板状の第１板状接触片２３（本発明の構成要件である一方の板状接触片）と、同じく前後方向に細長い平板状をなして第１板状接触片２３の下方に配置される第２板状接触片２４（本発明の構成要件である他方の板状接触片）と、前後方向に細長い折り目部２５とを備えて構成されている。両板状接触片２３，２４は、その右側縁同士を折り目部２５で繋がれた状態で二枚重ねされた形態となるように曲げ加工されている。図２に示すように、タブ１１（両板状接触片２３，２４）の幅寸法（左右方向の寸法）は、角筒部１０の幅寸法よりも小さい。
【００２０】
また、図５に示すように、第１板状接触片２３の左側縁からは、下方へリブ２６が突出され、このリブ２６の下端が第２板状接触片２４の左側縁部に当接、又は接近して対向している。したがって、第１板状接触片２３の下面と第２板状接触片２４の上面との間には、タブ１１の厚さ寸法を増加させるためのクリアランスＳが確保されている。但し、図１，３，４に示すように、タブ１１の厚さ寸法（上下寸法）は角筒部１０の高さ寸法（上下寸法）より小さい。
【００２１】
タブ１１と角筒部１０は、第１繋ぎ部２７と第２繋ぎ部２８と第３繋ぎ部２９を介して繋がっている。図８に示すように、第１繋ぎ部２７は、基板部１６の前端縁の全幅領域と、第１板状接触片２３の後端縁の全幅領域とを繋ぐ、略台形の板状部位である。第３繋ぎ部２９は、第１繋ぎ部２７の左側縁から略直角に延出し、左側板部１７の前端縁のほぼ全領域とリブ２６の後端縁とを繋いでいる。図１，３，４に示すように、第２繋ぎ部２８は、スタビライザ２２が形成されている右側板部１８の前端縁における上端側領域と、第２板状接触片２４の後端縁における全幅領域を繋いでいる。右側板部１８の板面と第２板状接触片２４の板面は、略直角な向きとなっているため、第２繋ぎ部２８は、捻れた板状をなしている。
【００２２】
本実施形態の端子金具Ｔは、電線圧着部１２に接続された電線１５が後方へ引っ張られると、電線圧着部１２の底壁部１３に直に連なる基板部１６と、基板部１６に直に連なる右側板部１８には、後方への引張力が作用する。一方、係止板部１９は、ランス３２に係止部２０を係止させているために後方への変位を規制されているのであるが、この係止板部１９は、基板部１６に直に連なっておらず、係止板部１９と基板部１６との間には左側板部１７が介在している。したがって、電線１５が後方へ引っ張られると、基板部１６と右側板部１８が、左側板部１７を変形させながら、係止板部１９に対して相対的に後方へ変位し、その結果、角筒部１０が不正な変形を来す虞がある。
【００２３】
そこで、本実施形態では、角筒部１０の不正な変形を防止する手段が講じられている。以下、その構成を説明する。図１，２，４，７に示すように、係止板部１９の右側縁部（延出端縁部）には、前後方向における略中央部分を凹ませた形態の切欠部３５が形成されている。そして、この切欠部３５と上記スタビライザ２２とは嵌合状態となっている。このスタビライザ２２と切欠部３５との係止作用により、スタビライザ２２に形成母体である右側板部１８が、切欠部３５の形成母体である係止板部１９に対して後方へ相対変位することを規制される。その結果、角筒部１０の不正な変形が防止される。
【００２４】
さて、図２に示すように、スタビライザ２２と切欠部３５の左右方向（スタビライザ２２の角筒部１０外への突出方向と交差する方向）における係止代は、スタビライザ２２の板厚分に相当する小さい寸法となっている。そのため、基板部１６に対し、電線１５と電線圧着部１２を介して後方への強い引張力が作用した場合には、スタビライザ２２が形成されている右側板部１８が、その上端縁（基板部１６との境界部分）を支点として右方（角筒部１０の外面側）へ姿勢を傾けながら開くように変位し、スタビライザ２２が、その板厚方向（右方）へ変位して切欠部３５から外れることが懸念される。
【００２５】
そこで、本実施形態では、次のような対策が講じられている。図１，２に示すように、スタビライザ２２の形成されている右側板部１８が、第２繋ぎ部２８を介して第２板状接触片２４と一体的に連なっているとともに、図８に示すように、タブ１１の折り目部２５が、第１繋ぎ部２７と第２繋ぎ部２８との境界部、及び基板部１６の右側縁と右側板部１８の上端縁との略直角に曲げられた境界部に対して、略直線状に連なっている。そのため、右側板部１８が開き方向へ変位しようとすると、第２板状接触片２４が折り目部２５を支点として第１板状接触片２３から下方へ離間する方向（開く方向）へ変位しようとする。
【００２６】
このように第２板状接触片２４が右側板部１８と一体的に変位しようとする形態に着目し、本実施形態では、図１〜４に示すように、右側板部１８とは異なる板部である係止板部１９に、規制部３６を形成した。規制部３６は、係止板部１９の前端縁における幅方向中央部から、斜め上前方へ略方形の平板状に延出した形態である。規制部３６の延出端部の上面は、第２繋ぎ部２８の外面（下面）に対して、当接又は、接近して対向する状態に配置されている。この規制部３６により、第２板状接触片２４は、第１板状接触片２３から離間する開き方向への変位を規制されている。このように第２板状接触片２４の開き変位を規制すれば、右側板部１８の右方への開き変位が規制されるので、スタビライザ２２が切欠部３５から外れるのを確実に防止できる。
【００２７】
また、図２に示すように、係止板部１９の前端縁（角筒部１０の下面側の前端）と、第２繋ぎ部２８の後縁（タブ１１の下面側の後端）との間には、隙間３７が空いている。そのため、多数の端子金具Ｔを一纏めにして、保管、運搬した場合、端子金具Ｔのタブ１１が、別の端子金具Ｔの隙間３７から角筒部１０内に侵入することが懸念される。しかし、本実施形態では、規制部３６が、隙間３７を部分的に塞ぐ形態となっているので、隙間３７の開口領域が狭められる。したがって、この隙間３７から、他部材が角筒部１０内に侵入するのを、防止することができる。
【００２８】
＜他の実施形態＞
本発明は上記記述及び図面によって説明した実施形態に限定されるものではなく、例えば次のような実施形態も本発明の技術的範囲に含まれる。
（１）上記実施形態では、スタビライザ２２を右側板部１８（他方の側板部）に対して面一状に連なるようにしたが、スタビライザは、右側板部（他方の側板部）に対して段差状に連なるようにしてもよい。
（２）上記実施形態では、規制部３６を一枚板状としたが、規制部は、曲げ剛性を高めるために屈曲又は湾曲させた形態でもよい。
（３）上記実施形態では、規制部３６が、第２繋ぎ部２８のみに当接するようにしたが、規制部は、第２繋ぎ部２８と第２板状接触片２４（他方の板状接触片）の両方に当接するようにしてもよく、第２板状接触片２４（他方の板状接触片）のみに当接するようにしてもよい。
（４）上記実施形態では、規制部３６を係止板部１９のみに形成したが、規制部は、左側板部１７（一方の側板部）のみに形成してもよく、基板部１６のみに形成してもよく、係止板部１９と左側板部１７（一方の側板部）とに形成してもよく、係止板部１９と基板部１６とに形成してもよく、左側板部１７（一方の側板部）と基板部１６とに形成してもよく、係止板部１９と左側板部１７（一方の側板部）と基板部１６の全ての板部に形成してもよい。
（５）上記実施形態では、規制部３６が、角筒部１０の前端とタブ１１の後端との隙間３７の開口領域の一部のみを塞ぐ形態としたが、規制部は、角筒部１０とタブ１１との隙間３７の開口領域の全体を塞ぐ形態としてもよい。
（６）上記実施形態では、規制部３６が、角筒部１０の前端とタブ１１の後端との隙間３７を塞ぐ形態としたが、規制部は、角筒部１０とタブ１１との隙間３７を塞がない形態としてもよい。
（７）上記実施形態では、係止部２０を貫通孔状としたが、係止部は突起状であってもよい。
【符号の説明】
【００２９】
Ｔ…端子金具
１０…角筒部
１１…タブ
１２…電線圧着部
１３…底壁部
１６…基板部
１７…左側板部（一方の側板部）
１８…右側板部（他方の側板部）
１９…係止板部
２０…係止部
２２…スタビライザ
２３…第１板状接触片（一方の板状接触片）
２４…第２板状接触片（他方の板状接触片）
２５…折り目部
２７…第１繋ぎ部
２８…第２繋ぎ部
３１…端子収容室
３２…ランス
３５…切欠部
３６…規制部
３７…角筒部の前端とタブの後端との隙間
【図１】
0005682519.tif 000002
【図２】
0005682519.tif 000003
【図３】
0005682519.tif 000004
【図４】
0005682519.tif 000005
【図５】
0005682519.tif 000006
【図６】
0005682519.tif 000007
【図７】
0005682519.tif 000008
【図８】
0005682519.tif 000009